(57)【特許請求の範囲】
【請求項１】
単片状のシートを搬送するための搬送手段と、前記搬送手段上に単片状のシートを供給するシート供給手段と、前記搬送手段上を搬送される単片状のシートのそれぞれに対して、該シートの搬送方向の長さよりも短い長さを有し、一方の面に剥離紙が貼付された粘着テープを貼付するテープ貼付手段と、前記シートに貼付された粘着テープから前記剥離紙を剥離させる剥離手段と、前記シートを前記粘着テープを介して物品に貼付するシート貼付手段とを有するシート貼付装置において、
前記剥離手段は、前記粘着テープが貼付された単片状のシートを、該単片状のシートの搬送方向に直交する方向について前記粘着テープが貼付された領域の両側を前記搬送手段に押え付けて前記粘着テープが貼付されていない面側に湾曲させることにより前記粘着テープから前記剥離紙を剥離させることを特徴とするシート貼付装置。
【請求項２】
単片状のシートを搬送するための搬送手段と、前記搬送手段上に単片状のシートを供給するシート供給手段と、前記搬送手段上を搬送される単片状のシートのそれぞれに対して、該シートの搬送方向の長さよりも短い長さを有し、一方の面に剥離紙が貼付された粘着テープを貼付するテープ貼付手段と、前記シートに貼付された粘着テープから前記剥離紙を剥離させる剥離手段と、前記シートを前記粘着テープを介して物品に貼付するシート貼付手段とを有するシート貼付装置において、
前記粘着テープは、前記シートに接着される側の面の接着力が反対側の面の接着力よりも強いことを特徴とするシート貼付装置。
【請求項３】
請求項１または請求項２に記載のシート貼付装置において、
前記テープ貼付手段は、連続状の粘着テープを前記シートの搬送方向の長さよりも短い長さに切断して前記シートに貼付することを特徴とするシート貼付装置。
【発明の詳細な説明】
【０００１】
【発明の属する技術分野】
本発明は、所定のシートを物品に貼付するシート貼付装置に関し、特に、粘着テープを用いてシートを物品に貼付するシート貼付装置に関する。
【０００２】
【従来の技術】
従来より、クレジットカードを用いた決済や公共料金等の口座振替を利用した場合、その利用明細書が利用者に郵送されているが、このような利用明細書は、クレジットカードを用いた決済や公共料金等の口座振替の普及に伴ってその数が年々増加している。
【０００３】
そのため、利用明細書を発行する業者あるいは利用明細書の発行を代行する業者においては、膨大の数の利用明細書を発送しなければならない。
【０００４】
また、特定の顧客に対して郵送されるダイレクトメールにおいても、そのダイレクトメールを発行する業者あるいはダイレクトメールの発行を代行する業者は、膨大な数のダイレクトメールを発送することになる。
【０００５】
このように１つの発送元から膨大な数の郵便物を発送する場合、郵便局における郵便物の区分け作業を簡略化するために、発送元において、郵便番号毎に郵便物を束ね、束ねた郵便物を、紙札と呼ばれる郵送先のエリアが記載された紙片を貼付して発送しており、それにより、発送元においては、郵便料金の減額を受けることができる。
【０００６】
紙札が貼付された郵便物を受け取った郵便局においては、紙札に従って郵便物を区分けし、この区分け作業が終了した後、郵便物から紙札を剥離している。
【０００７】
上述したように郵便物に紙札を貼付する方法としては、例えば、紙札の一方の面に糊を塗布し、この糊によって紙札を郵便物に貼付する方法があるが、糊を用いて紙札を郵便物に貼付する方法においては、郵便物の区分け作業後にて紙札を郵便物から剥離する際に糊が郵便物に残存してしまう虞れがあるとともに、糊が乾燥しないように管理する必要がある。
【０００８】
そこで、粘着テープを用いて郵便物に紙札を貼付する方法が用いられている。
【０００９】
図４は、従来のシート貼付装置の一例である、郵便物に紙札を貼付する装置を示す図である。
【００１０】
本従来例は図４に示すように、郵便物１０４に貼付される紙札１０１が連続状となって巻き付けられたローラ１３０と、紙札１０１を搬送するコンベヤー１１０ａ〜１１０ｄと、コンベヤー１１０ａ上を搬送される紙札１０１に貼付される、剥離紙１０３が貼付された粘着テープ１０２を供給し、この粘着テープ１０２をコンベヤー１１０ａ上にて紙札１０１に貼付するためのローラ１４１，１４２ａ〜１４２ｄと、コンベヤー１１０ｂ上を搬送されてきた紙札１０１に貼付された粘着テープ１０２から剥離紙１０３を剥離してローラ１６２に巻き付けるためのローラ１６１と、コンベヤー１１０ｂ上を搬送されてきて粘着テープ１０２から剥離紙１０３が剥離された紙札１０１を所定の大きさに切断する切断部１７０と、郵便物１０４を区分け領域（不図示）に搬送するコンベヤー１２０とから構成されている。
【００１１】
以下に、上記のように構成されたシート貼付装置において紙札１０１が郵便物１０４に貼付される際の動作について説明する。
【００１２】
郵便物１０４に貼付される紙札１０１は、連続状となってローラ１３０に巻き付けられており、ローラ１５０によってコンベヤー１１０ａ上に供給され、コンベヤー１１０ａ上を搬送されていく。また、紙札１０１がジグザグ状に折り畳まれて格納されている場合もある。
【００１３】
また、紙札１０１に貼付される粘着テープ１０２は、一方の面に剥離紙１０３が貼付された状態で連続状となってローラ１４１に巻き付けられており、ローラ１４２ａ〜１４２ｄによってコンベヤー１１０ａ上に供給され、コンベヤー１１０ａ上を搬送されてくる紙札１０１に連続状のまま貼付される。
【００１４】
粘着テープ１０２が貼付された紙札１０１は、連続状のままコンベヤー１１０ａ，１１０ｂに沿って搬送されていく。
【００１５】
コンベヤー１１０ｂ上を搬送されてきた紙札１０１においては、ローラ１６１によって、粘着テープ１０２に貼付された剥離紙１０３が剥離され、粘着テープ１０２から剥離された剥離紙１０３は、ローラ１６２に巻き付けられる。
【００１６】
その後、切断部１７０において、粘着テープ１０２から剥離紙１０３が剥離された紙札１０１が所定の大きさに切断され、それにより、紙札１０１が単片状となってコンベヤー１１０ｃ上を搬送されていく。
【００１７】
図５は、図４に示した切断部１７０にて切断された紙札１０１を示す図であり、郵便物１０４に貼付される面を示す。
【００１８】
粘着テープ１０２から剥離紙１０３が剥離され、コンベヤー１１０ｂ上を搬送されてくる紙札１０１においては、紙札１０１の搬送方向と平行に粘着テープ１０２が連続状に貼付されているため、切断部１７０にて所定の大きさに切断されると、図５に示すように、搬送方向における先端から後端に渡って粘着テープ１０２が貼付されている状態となる。
【００１９】
コンベヤー１１０ｃ上を搬送されてきた紙札１０１は、その後、コンベヤー１１０ｄ上に移載され、コンベヤー１２０上を搬送されてくる郵便物１０４に貼付されることになる。
【００２０】
紙札１０１が貼付された郵便物１０４は、コンベヤー１２０によって区分け領域に搬送されていく。
【００２１】
【発明が解決しようとする課題】
しかしながら、上述したような従来のシート貼付装置においては、連続状となって搬送されてくる紙札に対して連続状となった粘着テープが貼付される構成であるため、紙札の搬送方向に対して粘着テープの貼付角度がずれた場合、そのずれ量が累積されて次第に大きくなり、粘着テープが紙札からはずれてしまったり、紙札や粘着テープが歪んでしまったり、紙札が斜めにカットされてしまったりする虞れがあり、これを回避するには、紙札の搬送速度や搬送角度、並びに紙札に対する粘着テープの貼付角度を精細に制御しなければならないという問題点がある。
【００２２】
また、粘着テープから剥離紙が剥離された後に紙札が所定の大きさに切断されるため、切断部に粘着テープが付着し、紙札から粘着テープが剥離されてしまったり、切断部に汚れが生じてしまったりする虞れがある。
【００２３】
本発明は、上述したような従来の技術が有する問題点に鑑みてなされたものであって、粘着テープを用いて物品にシートを貼付するシート貼付装置において、精細な制御を行うことなく、物品に貼付されるシートに粘着テープを確実に貼付することができるシート貼付装置を提供することを目的とする。
【００２４】
【課題を解決するための手段】
上記目的を達成するために本発明は、
単片状のシートを搬送するための搬送手段と、前記搬送手段上に単片状のシートを供給するシート供給手段と、前記搬送手段上を搬送される単片状のシートのそれぞれに対して、該シートの搬送方向の長さよりも短い長さを有し、一方の面に剥離紙が貼付された粘着テープを貼付するテープ貼付手段と、前記シートに貼付された粘着テープから前記剥離紙を剥離させる剥離手段と、前記シートを前記粘着テープを介して物品に貼付するシート貼付手段とを有するシート貼付装置において、
前記剥離手段は、前記粘着テープが貼付された単片状のシートを、該単片状のシートの搬送方向に直交する方向について前記粘着テープが貼付された領域の両側を前記搬送手段に押え付けて前記粘着テープが貼付されていない面側に湾曲させることにより前記粘着テープから前記剥離紙を剥離させることを特徴とする。
【００２５】
また、前記テープ貼付手段は、連続状の粘着テープを前記シートの搬送方向の長さよりも短い長さに切断して前記シートに貼付することを特徴とする。
【００２７】
また、単片状のシートを搬送するための搬送手段と、前記搬送手段上に単片状のシートを供給するシート供給手段と、前記搬送手段上を搬送される単片状のシートのそれぞれに対して、該シートの搬送方向の長さよりも短い長さを有し、一方の面に剥離紙が貼付された粘着テープを貼付するテープ貼付手段と、前記シートに貼付された粘着テープから前記剥離紙を剥離させる剥離手段と、前記シートを前記粘着テープを介して物品に貼付するシート貼付手段とを有するシート貼付装置において、
前記粘着テープは、前記シートに接着される側の面の接着力が反対側の面の接着力よりも強いことを特徴とする。
【００２８】
（作用）
上記のように構成された本発明においては、単片状のシートがシート供給手段から搬送手段上に供給され、この単片状のシートに対して単片状に切断された粘着テープがテープ貼付手段にて貼付され、その後、シート貼付手段において、粘着テープが貼付されたシートが粘着テープによって物品に貼付される。
【００２９】
このように、物品に貼付されるシートが単片状となって供給され、かつ、この単片状のシートに単片状に切断された粘着テープが貼付されるので、シートの搬送方向に対して粘着テープの貼付角度がずれた場合においても、そのずれ量が累積されることがなく、それにより、精細な制御を行うことなく、物品に貼付されるシートに粘着テープを確実に貼付することができる。
【００３０】
また、シートに貼付される単片状の粘着テープの長さを、シートの搬送方向の長さよりも短い長さとすれば、粘着テープの使用量を低減することができる。
【００３１】
また、シートに貼付される粘着テープとして、シートに接着される側の面の接着力が反対側の面の接着力よりも強いものを用いれば、シートを物品に一時的に貼付する場合等において、シートを物品に貼付した後にシートを物品から剥離する際に物品からシートを剥がしやすくなる。また、シートに接着される側が再剥離性を有する糊となる粘着テープを用いれば、シートを物品に貼付した後にシートを物品から剥離した際に物品に粘着テープの糊が残って汚れてしまうことがなくなる。
【００３２】
【発明の実施の形態】
以下に、本発明の実施の形態について図面を参照して説明する。
【００３３】
図１は、本発明のシート貼付装置の実施の一形態を示す図であり、郵便物に紙札を貼付する装置を示す。
【００３４】
本形態は図１に示すように、郵便物４に貼付される単片状の紙札１が格納され、格納された単片状の紙札１を順次供給するシート供給手段であるフィーダー３０と、紙札１を搬送する搬送手段であるコンベヤー１０ａ〜１０ｃと、コンベヤー１０ａ上を搬送されてくる紙札１に貼付される、剥離紙３が貼付された粘着テープ２が連続状となって巻き付けられたローラ４１と、ローラ４１に巻き付けられた粘着テープ２を紙札１の搬送方向の長さよりも短く切断して供給し、この粘着テープ２をコンベヤー１０ａ上にて紙札１に貼付するためのテープ貼付手段であるローラ４２ａ〜４２ｃ，４４及びロータリーカッター４３と、コンベヤー１０ａ上を搬送されてきた紙札１をコンベヤー１０ｂ上に導いて紙札１をコンベヤー１０ｂとの間にて挟んで搬送するとともに、紙札１に貼付された粘着テープ２から剥離紙３を剥離するための剥離手段であるコンベヤー１０ｄと、郵便物４を区分け領域（不図示）に搬送するコンベヤー２０とから構成されている。
【００３５】
以下に、上記のように構成されたシート貼付装置おいて紙札１が郵便物４に貼付される際の動作について説明する。
【００３６】
郵便物４に貼付される紙札１は、単片状となってフィーダー３０に格納されており、コンベヤー１０ａ上に順次供給され、コンベヤー１０ａ上を搬送されていく。
【００３７】
また、紙札１に貼付される粘着テープ２は、一方の面に剥離紙３が貼付された状態で連続状となってローラ４１に巻き付けられており、ローラ４２ａ〜４２ｃによって供給され、その後、ローラ４４によって紙札１に押さえつけられながら、ロータリーカッター４３によって、紙札１の搬送方向の長さよりも短い長さに切断され、コンベヤー１０ａ上を搬送されてくる紙札１に単片状となって貼付される。ここで、ローラ４２ａ〜４２ｃ及びロータリーカッター４３の動作タイミングは、コンベヤー１０ａ上における紙札１の搬送タイミングに基づいて制御されており、フィーダー３０に格納された紙札１がコンベヤー１０ａに供給されるタイミングや、コンベヤー１０ａ上の所定の位置における紙札１の通過タイミングに基づいて制御すること等が考えられる。
【００３８】
図２は、図１に示したシート貼付装置において粘着テープ２が貼付された紙札１を示す図であり、（ａ）は粘着テープ２が貼付された面を示す図、（ｂ）は断面図である。
【００３９】
図２に示すように、本形態においては、ローラ４１に連続状となって巻き付けられた粘着テープ２が、ロータリーカッター４３によって紙札１の搬送方向の長さよりも短い長さに切断され、コンベヤー１０ａ上を搬送されてくる紙札１に単片状となって貼付される。なお、粘着テープ２の長さにおいては、紙札１を郵便物４に貼付するために必要最低限の長さ以上のものとする。
【００４０】
粘着テープ２が貼付された紙札１は、コンベヤー１０ａ上を搬送されていき、コンベヤー１０ｄによってコンベヤー１０ｂ上に移載され、コンベヤー１０ｂとコンベヤー１０ｄとの間に挟まれた状態で搬送されていく。また、この際、紙札１に貼付された粘着テープ２から剥離紙３が剥離される。
【００４１】
ここで、紙札１に貼付された粘着テープ２から剥離紙３が剥離される際の動作について詳細に説明する。
【００４２】
図３は、図１に示したシート貼付装置において紙札１に貼付された粘着テープ２から剥離紙３が剥離される際の動作について説明するための図である。
【００４３】
図３に示すように、コンベヤー１０ａ上を搬送されてきた紙札１は、コンベヤー１０ａとコンベヤー１０ｄとの間に挟まれることよって、粘着テープ２が貼付されていない面側に湾曲してコンベヤー１０ｂ上に移載される。この際、紙札１は、粘着テープ２が貼付されていない領域のみがコンベヤー１０ａとコンベヤー１０ｄとの間に挟まれることによりコンベヤー１０ｂとコンベヤー１０ｄとの間に導かれるため、粘着テープ２が貼付された領域においては、コンベヤー１０ｂの方向に湾曲せずにコンベヤー１０ａの搬送方向にさらに直進する方向に力が働く。ここで、粘着テープ２が貼付された領域においては、粘着テープ２は、紙札１との間における接着力がコンベヤー１０ａの搬送方向にさらに直進しようとする力よりも強く、また、紙札１の湾曲に追従するような軟性を有するため、紙札１から剥離せずに湾曲してコンベヤー１０ｂの方向に導かれるが、剥離紙３は、粘着テープ２との間における接着力よりもコンベヤー１０ａの搬送方向にさらに直進しようとする力の方が強く、また、コンベヤー１０ａの搬送方向にさらに直進しようとする力が生じている場合に紙札１の湾曲に追従するために十分な軟性を有していないため、コンベヤー１０ａの搬送方向にさらに直進するようにして粘着テープ２から剥離することになる。なお、剥離紙３の材質及び厚さにおいては、コンベヤー１０ａ上を搬送されてきた紙札１がコンベヤー１０ｄによってコンベヤー１０ｂの方向に湾曲した場合においても、湾曲せずにコンベヤー１０ａの搬送方向にさらに直進するようにして粘着テープ２から剥離するようなものとする必要がある。
【００４４】
コンベヤー１０ｂとコンベヤー１０ｄとの間に挟まれた状態で搬送されてきた紙札１は、その後、シート貼付手段を兼ねるコンベヤー１０ｃ上に移載され、コンベヤー２０上を搬送されてくる郵便物４に貼付されることになる。
【００４５】
紙札１が貼付された郵便物４は、コンベヤー２０によって区分け領域に搬送されていく。
【００４６】
以上説明したように本形態においては、単片状の紙札１がフィーダー３０から供給され、この単片状の紙札１に対して、紙札１の搬送方向の長さよりも短い長さを有する単片状の粘着テープ２が貼付される構成としたため、紙札１の搬送方向に対して粘着テープ２の貼付角度がずれた場合においても、そのずれ量が累積されることがなく、それにより、精細な制御を行うことなく、郵便物４に貼付される紙札１に粘着テープ２を確実に貼付することができる。
【００４７】
また、粘着テープ２の長さを、紙札１を郵便物４に貼付するために必要最低限の長さ以上となる任意の長さに設定することができるため、粘着テープ２の使用量を低減することができる。
【００４８】
また、紙札１に貼付される粘着テープ２は、紙札１に貼付される前に、紙札１の搬送方向の長さよりも短い長さに切断されるため、粘着テープ２を切断することによって紙札１が粘着テープ２から剥離してしまうことがない。
【００４９】
なお、紙札１に貼付される粘着テープ２として、紙札１に接着される側の面の接着力が反対側の面の接着力よりも強くなるようなものを使用した場合においては、紙札１を郵便物４に貼付した後に紙札１を郵便物４から剥離する際に、郵便物４から紙札１を剥がしやすくなり、それにより、郵便物４に粘着テープ２が残存してしまう可能性を低減することができる。
【００５０】
また、本形態においては、郵便物４の区分けに用いる紙札１に粘着テープ２を貼付し、この粘着テープ２を用いて紙札１を郵便物４に貼付する装置を例に挙げて説明したが、本発明はこれに限らず、単片状の所定のシートを粘着テープを用いて物品に貼付する装置であればいかなるものにも適用することができることは言うまでもない。例えば、粘着テープが貼付されたシートを物品に一時的に貼付する場合においては好適である。
【００５１】
【発明の効果】
以上説明したように本発明においては、物品に貼付されるシートが単片状となって供給され、かつ、この単片状のシートに単片状に切断された粘着テープが貼付される構成としたため、シートの搬送方向に対して粘着テープの貼付角度がずれた場合においても、そのずれ量が累積されることがなく、それにより、精細な制御を行うことなく、物品に貼付されるシートに粘着テープを確実に貼付することができる。
【００５２】
また、シートに貼付される単片状の粘着テープの長さを、シートの搬送方向の長さよりも短い長さとしたものにおいては、粘着テープの使用量を低減することができる。
【００５３】
また、シートに貼付される粘着テープとして、シートに接着される側の面の接着力が反対側の面の接着力よりも強いものを用いたものにおいては、シートを物品に一時的に貼付する場合等において、シートを物品に貼付した後にシートを物品から剥離する際に物品からシートを剥がしやすくすることができる。
【図面の簡単な説明】
【図１】本発明のシート貼付装置の実施の一形態を示す図である。
【図２】図１に示したシート貼付装置において粘着テープが貼付された紙札を示す図であり、（ａ）は粘着テープが貼付された面を示す図、（ｂ）は断面図である。
【図３】図１に示したシート貼付装置において紙札に貼付された粘着テープから剥離紙が剥離される際の動作について説明するための図である。
【図４】従来のシート貼付装置の一例である、郵便物に紙札を貼付する装置を示す図である。
【図５】図４に示した切断部にて切断された紙札を示す図である。
【符号の説明】
１    紙札
２    粘着テープ
３    剥離紙
４    郵便物
１０ａ〜１０ｄ，２０    コンベヤー
３０    フィーダー
４１，４２ａ〜４２ｃ，４４    ローラ
４３    ロータリーカッター
【図１】
0003953805.tif 000002
【図２】
0003953805.tif 000003
【図３】
0003953805.tif 000004
【図４】
0003953805.tif 000005
【図５】
0003953805.tif 000006